(57)【特許請求の範囲】
【請求項１】
吸込み口と、前記吸込み口と対向する位置に配置されたフィルターと、上方に突形状にした熱交換器と、横流型の送風機と、吹出し口を備えた空気調和機において、
前記吸込み口及び前記フィルターを上面のみに設け、
前記フィルターの自動清掃機構と、
前面に配置され、跳ね上げ自在の前面パネルと、
前記前面パネルと前記熱交換器との間に位置し、前記フィルターを介した空気のみが前記熱交換器に流入するように前記前面パネルと前記熱交換器との間を閉鎖する閉鎖部材と、を有し、
前記閉鎖部材の前記熱交換器側に設けた空気清浄機能を有する空気清浄フィルターの収納部を前記送風機によって引起される気流に臨ませるごとく配し、
前記閉鎖部材に前記空気清浄フィルター着脱用の開口と、前記開口を閉鎖する蓋部材と、を備えることを特徴とする空気調和機。
【請求項２】
請求項１において、前記熱交換器の下端部下方に配置され前記熱交換器で発生する凝縮水を受ける露受皿と、前記フィルターが係着される前記自動清掃機構の案内枠と、を有し、
前記閉鎖部材は、下部を前記露受皿に密着して係止され、上部を前記案内枠密着して密着して係止されることにより、前記フィルターを介した空気のみが前記熱交換器に流入するように前記前面パネルと前記熱交換器との間を閉鎖することを特徴とする空気調和機。
【請求項３】
請求項１又は２において、前記収納部は前記空気清浄フィルターを、前記空気清浄フィルターが前記熱交換器の前側部分に流入する気流を部分的に遮るごとく収納することを特徴とする空気調和機。
【発明の詳細な説明】
【技術分野】
【０００１】
本発明は空気調和機にかかり、特に、プレフィルターと共に、他の付加機能部材を搭載した空気調和機の構造に関する。
【背景技術】
【０００２】
空気調和機は室内空気を熱交換器に循環させて、加熱，冷却，除湿機能などにより調整し、これを室内に吹出すことにより室内を空気調和する。このとき、空気調和機で循環させる気流中の塵埃を除去するプレフィルターと共に、花粉やハウスダストなどのアレルギーの元となるアレルゲンを除去したり、室内空気の脱臭を行う機能性フィルターを搭載することが行われている。
【０００３】
そのひとつとして、樹脂繊維に帯電させた空気清浄フィルターが用いられ、これを空気調和機に搭載する様々な方法が考えられ、これを具現化するために種々の工夫が凝らされている。この種の従来技術として、特開平０１−０４１７２９号公報，特開２００４−０８５０２１号公報，特開昭６３−２９７９４７号公報，特開２００７−１０７７６４号公報が知られている。
【０００４】
特許文献１は前面パネルの一部を開閉可能とし、開閉可能部の後側に静電フィルターや香りパック等の付加機能を有する物体を設けることにより通風抵抗を増大させず、冷房・暖房能力を減じたり、消費電力量を増大させることなく、空気清浄機能を付加するもので、室内空気を前側と上側から吸込む空気調和機について述べている。
【０００５】
特許文献２は前面部のフロントパネルを２段階に回動可能にし、エアーフィルターの背面にマイナスイオンをトルマリン鉱石の粉末粒子で発生させる静電除塵装置を設け、その静電除塵装置を落とし込み方式により取り付け，取り外しできるようにすることにより、約１０数μｍより小さい塵埃を、高電圧を印加しないで静電除塵装置により除塵するもので、運転停止時は閉じているフロントパネルを運転時には一段目まで開いて、室内空気を前側と上側から吸込み、フロントパネルを２段目まで開けてエアーフィルターと空気清浄フィルターを清掃する空気調和機について述べている。
【０００６】
特許文献３は複数の熱交換器を傾斜させて上下方向に配置することにより、空気流が最も上部にある熱交換器から最も下部にある熱交換器に向けて順次流れるように構成し、且つ冷媒が最も下部にある熱交換器から最も上部にある熱交換器に向けて順次流れるように構成することにより、熱交換器の面積をある程度確保しながら熱交換器部分の全体の厚みを小さくして、室内ユニットの薄型化、小型化を可能とし、空調装置の能力と効率を大幅に向上させるもので、室内空気を上側から吸込む空調装置の室内ユニットについて述べている。
【０００７】
特許文献４はフィルターの表面側に清掃ブラシを有するダストボックスを配置し、ダストボックスに対向するフィルターの裏面側にフィルターを受け止めるフィルター受け板をそれぞれ設け、ダストボックスとフィルター受け板とをガイドフレームに沿って上下に移動させてフィルターに付着したゴミを除去することにより、フィルターに付着したゴミを確実に除去するとともに、除去したゴミを保管するもので、室内空気を上側から吸込み、自動清掃機構によりフィルターを清掃する空気調和機について述べている。
【０００８】
【特許文献１】特開平０１−０４１７２９号公報
【特許文献２】特開２００４−０８５０２１号公報
【特許文献３】特開昭６３−２９７９４７号公報
【特許文献４】特開２００７−１０７７６４号公報
【発明の開示】
【発明が解決しようとする課題】
【０００９】
現在、家庭用の空気調和機は、室内の空気質の向上が求められ、室内に浮遊する通常の塵埃はもとより、より微細な花粉やハウスダストのようなアレルゲンも除去することも要求されるようになった。加えて、外観も重視され、不使用時はもとより、使用中も室内の雰囲気を乱さない製品が求められている。
【００１０】
また、環境への配慮も要求され、容易にメンテナンスの作業ができるようにして、購入時の性能を維持し続け、寿命を長期化して、廃棄することによる環境への負荷を軽減することも求められている。
【００１１】
特許文献１では室内から見え易い前面に吸込み口の格子が有り、吸込み口のため室内の埃が付き易く、室内の雰囲気を乱すうえ、上面から前面にかけて大きな面積のフィルターが必要となり、省資源に反する。また、フィルターの着脱についての言及は無い。
【００１２】
特許文献２では運転時にフロントパネルが１段目まで開くので、空気調和機を斜め前方から見ると、開いたフロントパネルと本体との間から空気調和機の内部が見え、外観を損ねるうえ、上面から前面にかけて大きな面積のフィルターが必要となり、省資源に反する。
【００１３】
特許文献３ではフィルターの清掃についての言及は無いが、この壁掛型の室内機ではフィルターが上部にあるため、フィルターの清掃のためには脚立に登って、更に上部のフィルターに手を伸ばさなければならず姿勢が不安定になり、フィルターの清掃が敬遠され勝ちとなって、初期の性能が段々低下して省エネに反するようになる。また、空気清浄機能についての言及は無い。
【００１４】
特許文献４ではフィルターの自動清掃機構により、室内機上部のフィルターの清掃が行われるが、フィルターの清掃時のダストボックスの移動通路をフィルターに沿って設けなければならず、前面下部の熱交換器を通過する室内空気のために、室内空気を上面からのみ吸込むにもかかわらず、フィルターは上側から前側にかけて大きなフィルターを使用し、これに伴って、室内機の奥行き寸法も大きくなり、室内の雰囲気を乱すと共に、省資源にも反する。また、空気清浄機能についての言及は無い。
【００１５】
本発明の目的は、室内の雰囲気を乱すことがなく、経時的な性能劣化の少ない空気調和機を提供し、在室者を快適にするものである。
【００１６】
本発明が解決しようとする課題は、使用時の外観に優れ、室内の空気質が向上し、メンテナンスの容易な空気調和機を提供することにある。
【課題を解決するための手段】
【００１７】
本発明が解決しようとする課題は、吸込み口と、前記吸込み口と対向する位置に配置されたフィルターと、上方に突形状にした熱交換器と、横流型の送風機と、吹出し口を備えた空気調和機において、前記吸込み口及び前記フィルターを上面のみに設け、前記フィルターの自動清掃機構と、前面に配置され、跳ね上げ自在の前面パネルと、前記前面パネルと前記熱交換器との間に位置し、前記フィルターを介した空気のみが前記熱交換器に流入するように前記前面パネルと前記熱交換器との間を閉鎖する閉鎖部材と、を有し、前記閉鎖部材の前記熱交換器側に設けた空気清浄機能を有する空気清浄フィルターの収納部を前記送風機によって引起される気流に臨ませるごとく配し、前記閉鎖部材に前記空気清浄フィルター着脱用の開口と、前記開口を閉鎖する蓋部材と、を備えることにより達成される。より具体的には、前記熱交換器の下端部下方に配置され前記熱交換器で発生する凝縮水を受ける露受皿と、前記フィルターが係着される前記自動清掃機構の案内枠と、を有し、前記閉鎖部材は、下部を前記露受皿に密着して係止され、上部を前記案内枠密着して密着して係止されることにより、前記フィルターを介した空気のみが前記熱交換器に流入するように前記前面パネルと前記熱交換器との間を閉鎖する。
【００１８】
また、前記収納部は前記空気清浄フィルターを、前記空気清浄フィルターが前記熱交換器の前側部分に流入する気流を部分的に遮るごとく、収納するものである。
【発明の効果】
【００１９】
請求項１に記載の発明によれば、運転中も室内の雰囲気を乱すことが無く、吹出し空気の浄化度合が向上し、且つ、メンテナンスが容易になる。
【００２０】
請求項２によれば、吸込み空気中のアレルゲンを効率よく除去する等、室内空気質の向上が図れる。
【発明を実施するための最良の形態】
【００２１】
以下、本発明の実施例について図を用いて説明する。図における同一符号は同一物または相当物を示す。
【００２２】
まず、空気調和機の全体構成について図１，図２，図３，図５を用いて説明する。図１は実施例の空気調和機の構成図である。図２は空気調和機の室内機の側断面図である。図３は室内機の冷房・除湿運転時の側断面図である。図５は室内機の前面パネル跳ね上げ状態を示す斜視図である。
【００２３】
空気調和機１は、室内機２と室外機６とを接続配管８で繋ぎ、室内を空気調和する。室内機２は、筐体ベース２１の中央部に室内熱交換器３３を置き、熱交換器３３の下流側に熱交換器３３の幅と略等しい長さの横流ファン方式の送風ファン３１１を配置し、露受皿３５等を取り付け、これらを化粧枠２３で覆い、化粧枠２３の前面に前面パネル２５を取り付けている。この化粧枠２３には、室内空気を吸い込む空気吸込み口２７と、温湿度が調整された空気を吹出す空気吹出し口２９とが上下に設けられている。
【００２４】
室内熱交換器３３は、室内機２のスペースを有効に使用してできるだけ伝熱面積が広くなるように、上方に突の形状とし、送風ファン３１１を跨ぐように設置されている。送風ファン３１１は吹出し気流を送風ファン３１１の長さに略等しい幅を持つ吹出し風路２９０に流し、吹出し気流は吹出し風路２９０途中に配した左右風向板２９５で気流の左右方向を偏向され、更に、吹出し口２９に配した上下風向板２９１で気流の上下方向を偏向されて室内に吹出す。
【００２５】
送風ファン３１１が回転すると室内空気が室内機２に設けられた空気吸込み口２７から室内熱交換器３３、送風ファン３１１を通って空気吹出し口２９から吹出される。
【００２６】
筐体ベース２１には、送風ファン３１１，フィルター２３１，室内熱交換器３３，露受皿３５，上下風向板２９１，左右風向板２９５等の基本的な内部構造体が取り付けられる。そして、これらの基本的な内部構造体は、筐体ベース２１，化粧枠２３，前面パネル２５からなる筐体２０に内包され室内機２を構成する。
【００２７】
また、前面パネル２５の下部一側には、図５に示すように運転状況を表示する表示部３９７と、別体のリモコン５からの赤外線の操作信号を受ける受光部３９６とが配置されている。
【００２８】
化粧枠２３の下面に形成される空気吹出し口２９は、前面パネル２５との分割部に隣接して配置され、奥の吹出し風路２９０に連通している。上下風向板２９１は、閉鎖状態で、吹出し風路２９０をほぼ隠蔽して室内機２の底面に連続する大きな曲面を有するように構成されている。これらの上下風向板２９１は、両端部に設けた回動軸を支点にして、リモコン５からの指示に応じて、駆動モータにより空気調和機１の運転時に所要の角度回動して空気吹出し口２９を図３の如く開き、その状態に保持する。空気調和機１の運転停止時には、これらの上下風向板２９１は空気吹出し口２９を閉じるように制御される。
【００２９】
左右風向板２９５は、下端部に設けた回動軸を支点にして駆動モータにより回動され、リモコン５からの指示の応じて回動されてその状態に保持される。これによって、吹出し空気が左右の所望の方向に吹出される。なお、リモコン５から指示することにより、空気調和機１の運転中に上下風向板２９１，左右風向板２９５を周期的に揺動させ、室内の広範囲に周期的に吹出し空気を送ることもできる。
【００３０】
室内機２は、内部の電装品ボックスに制御基板を備え、この制御基板にマイコンが設けられる。このマイコンは、室内温度センサー、室内湿度センサー等の各種のセンサーからの信号を受けると共に、リモコン５からの操作信号を受光部３９６を介して受ける。このマイコンは、これらの信号に基づいて、室内送風ファン３１１，上下風向板駆動モータ，左右風向板駆動モータ等を制御すると共に、室外機６との通信を司り、室内機２を統括して制御する。
【００３１】
フィルター２３１は、吸い込まれた室内空気中に含まれる塵埃を取り除くためのものであり、空気吸込口に配置されている。露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００３２】
次に、本実施例が備える空気質の向上を図って付加される機能部材の収納構造について図２〜図４を用いて説明する。図４は室内機の前面パネル跳ね上げ状態を示す側断面図である。
【００３３】
前述したように、昨今の空気調和機には室内の温湿度の調節の他に、室内の空気質の向上も期待されている。空気質の向上を果たすものとして、花粉やハウスダスト等のアレルゲンを除去する空気清浄機能や脱臭，マイナスイオン付加，帯電微細水滴の付加，加湿等の様々な機能が考えられるが、ここでは、粒径１０μｍ以上の塵埃を９９.９％に近い高効率で捕集することができ、更に、脱臭機能も有する空気清浄フィルターを例にとり説明する。
【００３４】
空気清浄フィルター３３１は不織布に脱臭剤を含ませ、プリーツ状にひだ折し、静電気を帯電させたもので、空気清浄機能を有している。この空気清浄フィルター３３１を熱交換器３３の上流側の下部と吸込み口２７に設けたフィルター２３１との間の風路に臨ませる。具体的には該風路を構成する閉鎖部材３３３に通風自在の支持枠３３３ｃを形成し、該支持枠３３３ｃに空気清浄フィルター３３１を懸架し、収納する。
【００３５】
これにより、空気調和機を運転したときに、送風ファン３１１によって引起される気流は図３の矢印で示すように、その一部が空気清浄フィルター３３１を通過し、通過する気流に含まれる花粉やハウスダスト等のアレルゲンを除去すると共に、臭気成分を捕らえ、脱臭作用を発現する。この空気清浄フィルター３３１は長期の使用により、前記の花粉やハウスダスト等の塵埃が蓄積されるので２〜３年に１度くらいの頻度で水洗いするなどの清掃をする必要がある。
【００３６】
このため、空気清浄フィルター３３１の収納部３３３ｂに収納された空気清浄フィルター３３１を前面パネル２５側から着脱できるように、閉鎖部材３３３の適所に空気清浄フィルター３３１着脱用の開口３３３ａを設ける。この着脱用の開口３３３ａには蓋部材３３５を着脱自在に取り付ける。また、前面パネル２５は図４のように上部を化粧枠２３の上側前部に軸支され、下部を閉鎖部材３３３に材料のバネ性を利用するなどして跳ね上げるように開閉が自在に構成される。このようにすることで、空気清浄フィルター３３１の清掃時には、工具を使用することなく、空気清浄フィルター３３１を簡単に着脱できる。
【００３７】
このように、蓋部材３３３と前面パネル２５を共に着脱自在に構成しても、一方の蓋部材３３５は寸法が小さい上、着脱の相手が閉鎖部材３３３だけで、且つ、閉鎖部材３３３との接触部を同一平面に形成するなどして密着性を高め、空気漏れを少なくできるのに対して、他方の前面パネル２５は寸法が大きい上、室内機２の本体に密着させようとすると、密着させる相手の部品が多岐に渡り、また、外観に美観を与えるために形状も複雑になりがちで、着脱自在にするための小さな力で、これらを密着させて空気漏れを少なくすることは到底できない。
【００３８】
一般に、送風機を運転すると送風機の吸込み側と吸込み口の間に気流が引起され、この気流によって圧力差が生じ、送風機と吸込み口との間わずかな隙間から周囲の空気が吸込まれ、吸込み口を通らない空気も送風機に吸込まれ吹出される。空気調和機においては、この吸込み口を通らない空気はフィルターを通過していない空気で、塵埃が多く含まれているので熱交換器や筐体の通風路に付着し、汚れの原因になる。また、吸込み口を通らない空気は空気調和機のフィルターで室内空気を浄化すると言う作用を全く受けないため、室内空気の浄化作用が減殺される。このため、吸込み口を通らない空気の吸込みはできるだけ排除することが望ましいが、前述したような製造上の制約から根絶することは困難である。
【００３９】
他方、空気調和機を据付けた後の保守作業を容易にして、初期の性能を維持することが環境への負荷を軽くする重要な役割を担うことから、保守作業に関わる部分は工具なしで着脱自在にすることが強く求められている。このため、前面パネルの工具を使用することなしに跳ね上げて、内部の保守点検作業を行えるようにしている。このようにした場合、面積の広い前面パネルを容易に着脱させるため、前面パネルと本体側を密着させることができず、本体側との間に隙間ができてしまう。この隙間から吸込み口を通らない空気が吸込まれ、内部の汚れを助長する。
【００４０】
上述の保守作業時の簡便性と、空気漏れを抑える密着性と言う２つの相反する要求にこたえるため、本発明では閉鎖部材３３３を前面パネル２５と熱交換器３３の間に設ける。閉鎖部材３３３は下部を露受皿３５に、上部を後述するフィルター２３１の清掃機構の案内枠２３４に密着して係止され、前面から熱交換器３３に入る漏れ空気をほぼ完全に遮断している。これにより、フィルター２３１を通らないで直接熱交換器３３に流れる漏れ空気が少なくなり、熱交換器３３や室内機２内の汚れが軽減され、フィルター２３１での空気の浄化作用も減殺されない。
【００４１】
この時、前面パネル２５や蓋部材３３５を着脱自在に係止するため、閉鎖部材３３３に孔等を設けるが、これらの孔の面積は前面パネルと室内機２の本体との間に生ずる隙間に比べるとはるかに小さく、なおかつ、これらの孔には前面パネル２５や蓋部材３３５の係止部が嵌合するため、隙間の面積は更に小さくなるので、これらの孔からの空気漏れは非常に少ない。しかし、これらの孔の面積はは必要最小限にすることが望ましく、いたずらに必要以上の大きな孔を開けるべきではない。
【００４２】
一連の空気清浄フィルターの着脱作業を図５〜図７を用いて説明する。図６は室内機の蓋部材脱着説明図である。図７は室内機の空気清浄フィルター交換作業説明図、（ｂ）は清掃機構の集塵ボックスの斜視図、（ｃ）は清掃機構の掃除用刷毛の斜視図である。
【００４３】
空気清浄フィルター３３１を装着する場合は、先ず、前面パネル２５を図５のように開き、現れた、蓋部材３３５のつまみを持って手前に引き、図６のように蓋部材３３５を引き外す。開口３３３ａから図７のように空気清浄フィルター３３１を挿入して収納部３３３ｂに空気清浄フィルター３３１を取り付ける。これを清掃する場合は逆の順序で空気清浄フィルター３３１を取外し、水洗いして乾燥させてから収納部３３３ｂに戻す。このように、空気清浄フィルター３３１の清掃作業は工具を使用せずに行うことができ、その頻度も２〜３年に１回程度であるので使用者の負担となる程でもない。
【００４４】
次に、フィルターの清掃手段について図８を用いて説明する。図８は室内機のフィルター清掃機構部斜視図である。
【００４５】
実施例では空気吸込み口２７に、平面状のフィルター２３１を設ける。フィルター２３１は案内枠２３４に係着され、案内枠２３４は後部と前部にレールを、前部のレールに並べてレールに平行な推進軸を備える。
【００４６】
推進軸は多角形断面を有し、案内枠２３４に設けた軸受に軸支され、片側の軸受を貫通した一端に取り付けた歯車を介して、案内枠２３４に固定した移動用モータに連結される。推進軸にはスクリュウ，キャリッジが緩装され、スクリュウは案内枠２３４に設けられた、推進軸と平行なラックに噛合している。
【００４７】
キャリッジとレールとの間には刷毛支持枠２６２がフィルター２３１を跨いで懸架され、刷毛支持枠２６２にはフィルター２３１を掃いて掃除する掃除用刷毛２６７が取り付けられている。
【００４８】
しかして、移動用モータを回転させることで、推進軸，スクリュウが回転し、ラックに沿って、スクリュウが移動用モータの回転方向に応じて左右方向に動き、キャリッジを移動させる。これにより、掃除用刷毛２６７がフィルター２３１に摺接しながら掃くように移動し、フィルター２３１上の塵埃を掃除用刷毛２６７に掃き取り、案内枠２３４の左部の除塵ブラシ２７０に移動させる。
【００４９】
掃除用刷毛２６７の毛は柔らかな毛を使用し、フィルター２３１面に掃除用刷毛２６７を押し付けて移動したときに、フィルター２３１が掃除用刷毛２６７の押付けで変形した後も適度な重複代を確保できるようフィルター２３１の剛性に合わせて選定するのが良い。ここで重複しろとは掃除用刷毛２６７の毛が変形しないで真直ぐな状態と仮定したときのフィルター面から毛先迄の長さを言う。
【００５０】
このように、掃除用刷毛２６７に軟毛を使用するので、フィルター２３１を変形させる力が小さく、フィルター２３１を片側から掃くだけでよく、フィルター２３１を裏側から支えなくてもフィルター２３１上の塵埃を掃き取ることができる。このため、掃除用刷毛２６７でフィルター２３１を掃引する時の駆動機構をフィルター２３１の片側だけに設ければ良く、駆動機構が大幅に簡略化される。
【００５１】
次に、清掃機構の構成及び動作について図９を用いて説明する。図９は清掃機構の捕集塵埃の掃き取り動作詳細図である。
【００５２】
フィルター２３１の右方には清掃動作が行われていない時に掃除用刷毛２６７が待機する待機部２３８がある。待機部２３８は図９のＦ部に示す如く、フィルターの面より窪んだ凹所Ｆ２３４ｆが設けられ、フィルター２３１に摺接している時に図９のＥ部に示す如く曲げられた掃除用刷毛２６７が図９のＦ部に示す如く開放されて真直ぐな状態に復元する。
【００５３】
これにより、掃除用刷毛２６７が待機している間、掃除用刷毛２６７を曲げる力が働かず、掃除用刷毛２６７に曲げ癖が付かない。また、フィルター２３１上を移動した時にフィルター２３１の網目で捻られたりして生ずる毛先の変形も復元し、整えられる。
【００５４】
このため、清掃動作の度に掃除用刷毛２６７がフィルター２３１に所定の状態で摺接し、清掃動作が安定し、所期の清掃性能を発揮できる。更に、待機部２３８では掃除用刷毛２６７の毛先が開放されるので、凹所Ｆ２３４ｆが無く毛先が曲がったままの場合に比べて、掃除用刷毛２６７が反転移動を開始する時に毛先が乱れて不要な力を掛けることが無いので掃除用刷毛２６７の駆動機構に余分な負荷を掛けず、駆動機構の信頼性が向上する。
【００５５】
また、掃除用刷毛２６７の反転時に毛先に不要な力を掛けないので毛先の劣化が生じ難く、掃除用刷毛２６７を交換する間隔を長くすることができる。また、フィルター２３１と除去ブラシ２７１の間に凹所Ｃ２３４ｃが設けられている。凹所Ｃ２３４ｃの深さは、除去ブラシ面２７１ａが掃除用刷毛２６７側に最大露出となる除去ブラシ２７１の回動位置で、除去ブラシ面２７１ａの頂上部がフィルター２３１面と略等しくなるようにし、掃除用刷毛２６７の毛先が凹所Ｃ２３４ｃの底部に届く範囲にする。
【００５６】
このようにすることにより、掃除用刷毛２６７をフィルター２３１の掃引時以上には変形させること無く掃除用刷毛２６７を除去ブラシ２７１に摺接でき、掃除用刷毛２７１に過度の変形を与えることが無く、掃除用刷毛２７１の劣化を抑制できる。また、凹所Ｃ２３４ｃの深さの分だけ除去ブラシ２７１を掃除用刷毛２６７側に露出させることができ、除去ブラシ面２７１ａの面積が大きくなり、安定した塵埃２３６の除去性能を発揮することができる。
【００５７】
これが清掃動作する時には、待機部２３８に図９のＦ部に示す如く待機していた掃除用刷毛２６７を駆動機構を運転して、フィルター２３１を掃引するよう図９のＤ部に示す如く移動させる。この時、掃除用刷毛２６７の毛先は凹所Ｆ２３４ｆの開放状態から傾斜Ｆ２３３ｆを通って突出しているフィルター２３１面に徐々に毛先を曲げ変形させながら乗り上げ、フィルター２３１としっかり摺接する。
【００５８】
掃除用刷毛２６７は除塵ブラシ２７０の方向に移動しながらフィルター２３１を掃引し、塵埃２３６を掃き取る。フィルター２３１の掃引を終了した掃除用刷毛２６７は掃き取った塵埃２３６と共に、図９のＣ部の位置に達し、凹所Ｃ２３４ｃで若干毛先の変形を開放され、除塵ブラシ２７０に至り、除去ブラシ面２７１ａと有効に摺接しながら、塵埃２３６を除去ブラシ２７１に移載する。
【００５９】
２６８は刷毛押えであり、刷毛の片側または両側に設け、清掃動作時の刷毛先端に適度の弾性を与え、塵埃の掃き取り性を良好に維持すると共に、刷毛の根元に過度の変形を与えて、刷毛が根元から折れたりしないようにしている。片側に刷毛押えを設ける場合は、上記の理由から清掃動作時に刷毛の毛先が変形する側に設けるのが良い。また、両側に設けると、清掃動作時と戻り動作時で刷毛の毛先の変形がほぼ同じとなり、刷毛に不均一な癖が付くのを防止できる。
【００６０】
刷毛支持枠２６２はレバー突起２６９が回動レバー２７１ｃを乗り越えたところで停止するが、この部は前述の凹所Ｃ２３４ｃより窪んだ凹所Ａ２３４ａになっている。凹所Ａ２３４ａでは前述の待機部２３８の凹所Ｆ２３４ｆと同様に掃除用刷毛２６７の毛先は開放され、反転してフィルター２３１方向に移動を始める。これにより、掃除用刷毛２６７が停止している間に、掃除用刷毛２６７は曲がった状態から真直ぐな状態に復元する。また、フィルター２３１上を移動した時にフィルター２３１の網目で捻られたりして生ずる毛先の変形も復元し、整えられる。
【００６１】
更に、掃除用刷毛２６７が停止している間に毛先が開放されるので、凹所Ａ２３４ａが無く毛先が曲がったままの場合に比べて、掃除用刷毛２６７が反転移動を開始する時に毛先が乱れて不要な力を掛けることが無いので掃除用刷毛２６７の駆動機構に余分な負荷を掛けず駆動機構の信頼性が向上する。また、掃除用刷毛２６７の反転時に毛先に不要な力を掛けないので毛先の劣化が生じ難く、掃除用刷毛２６７を交換する間隔を長くすることができる。掃除用刷毛２６７が反転移動する時、掃除用刷毛２６７の毛先は凹所Ａ２３４ａの開放状態から傾斜Ａ２３３ａ，傾斜Ｃ２３３ｃを通って突出しているフィルター２３１面に徐々に毛先を曲げ変形させながら乗り上げ、フィルター２３１としっかり摺接する。
【００６２】
次に掃除用刷毛２６７は清掃時とは逆向きに毛先を変形させてフィルター２３１に摺接しながら移動し、待機部２３８に向かう。このように、掃除用刷毛２６７は往復で毛先の曲げ方向が逆になるので、片方向でしか摺接させない時に比べて、曲げの癖が付き難く、毎回、フィルター２３１を押す力を一定にすることができる。このため、フィルター２３１を清掃する能力を長期間維持することができる。
【００６３】
除去ブラシ２７１により掃除用刷毛２６７から掻き取られた塵埃２３６は掃除用刷毛２６７が戻って行く時に、ブラシホルダー２７６の内部に押込まれ、集塵ボックス２８４に落下する。集塵ボックス２８４に蓄積された塵埃は数年に１度の頻度で前面パネル２５を開け、集塵ボックス２８４のツマミ部２８４ｃを持って、除去塵埃排出口２８１ｂから集塵ボックス２８４を引出し、集塵ボックス２８４の内部の塵埃を捨て清掃する。
【００６４】
かくの如く、室内空気の吸込み口２７を上面のみに設け、該吸込み口２７に設けたフィルター２３１の自動清掃機構を設けたことにより、空気調和機の性能維持に欠かせないフィルター２３１の清掃を、使用者を煩わすことなしに行える。また、閉鎖部材３３３により前面パネル２５側からの空気漏れを抑制して、熱交換器３３や室内機２内の汚れを軽減し、空気調和機の所期の性能を長く維持することができる。更に、空気清浄フィルター３３１を工具を使用することなしに着脱でき、室内の空気質の向上も図ることができる。更にまた、フィルター２３１を上面のみに設けるので、上面と前面に設けるのに較べてフィルターの大きさを小さくできる。
【００６５】
このように、実施例の空気調和機は、吸込み口と、フィルターと、熱交換器と、横流型の送風機と、吹出し口を備え、該吸込み口を上面のみに設け、該フィルターの自動清掃機構と、跳ね上げ自在の前面パネルと、上方に突形状にした該熱交換器の間に設けた閉鎖部材とを有し、該閉鎖部材の熱交換器側に設けた機能部材の収納部を前記送風機によって引起される気流に臨ませるごとく配し、該閉鎖部材に前記機能部材着脱用の開口と該開口を閉鎖する蓋部材を備える。
【００６６】
これにより、吸込み空気の一部が空気清浄フィルターを通り、気流中に漂っているアレルゲンが除去され、室内が徐々に清浄になり、快適な空間が形成される。このとき、跳ね上げ自在の前面パネルの内側に閉鎖部材を設けているので、吸込み空気は上面の吸込み口からのみ吸込まれ、跳ね上げ自在の前面パネルと本体との隙間から吸込み口を通らない空気が吸込まれず、内部の汚れを助長することが無い。また、空気調和機の持つ室内空気の浄化作用も減殺されることが無い。また、上方に突形状の熱交換器を用いるので、跳ね上げ自在の前面パネルの内側に設けた閉鎖部材と熱交換器の前部との間が吸込まれた室内空気の流通路となり、ここを流れる気流に空気清浄フィルターを臨ませることが可能となって、空気清浄作用が惹起される。また、跳ね上げ自在の前面パネルを採用して空気調和機の保守作業を容易にしたことと、空気調和機の保守作業で最大の課題であるフィルターの清掃を自動化したことで環境への負荷を低減することができる。また、空気調和機の運転時も前面パネルが前方に開くことも無いので、室内機の内部が使用者の目に曝されることも無く、室内の雰囲気を乱さず、美観を維持し続ける。
【００６７】
このため、運転中も室内の雰囲気を乱すことが無く、吹出し空気の浄化度合が向上し、且つ、メンテナンスが容易になる空気調和機を提供することができる。
【００６８】
また、実施例の空気調和機は、前記収納部は前記機能部材を、該機能部材が前記熱交換器の前側部分に流入する気流を部分的に遮るごとく、収納する。
【００６９】
これにより、機能部材で一部を遮られた気流は機能部材の前後で圧力差を生じ、この圧力差のよって、機能部材にも気流の一部が流れる。機能部材に流れた気流は、気流中に含んでいるアレルゲンが除去されたり、芳香を付加されたりして、空気質が向上して室内に吹出される。このように、機能部材に流れる気流の空気質が向上するので、室内の空気質も徐々に向上し、室内環境が快適になってゆく。
【００７０】
このため、吸込み空気中のアレルゲンを効率よく除去する等、室内空気質の向上が図れる空気調和機を提供することができる。
【００７１】
以上説明したように、請求項１記載の空気調和機によれば、吸込み口と、フィルターと、熱交換器と、横流型の送風機と、吹出し口を備え、該吸込み口を上面のみに設け、該フィルターの自動清掃機構と、跳ね上げ自在の前面パネルと、上方に突形状にした該熱交換器の間に設けた閉鎖部材とを有し、該閉鎖部材の熱交換器側に設けた機能部材の収納部を前記送風機によって引起される気流に臨ませるごとく配し、該閉鎖部材に前記機能部材着脱用の開口と該開口を閉鎖する蓋部材を備える。
【００７２】
これにより、吸込み空気の一部が空気清浄フィルターを通り、気流中に漂っているアレルゲンが除去され、室内が徐々に清浄になり、快適な空間が形成される。このとき、跳ね上げ自在の前面パネルの内側に閉鎖部材を設けているので、吸込み空気は上面の吸込み口からのみ吸込まれ、跳ね上げ自在の前面パネルと本体との隙間から吸込み口を通らない空気が吸込まれず、内部の汚れを助長することが無い。また、空気調和機の持つ室内空気の浄化作用も減殺されることが無い。また、上方に突形状の熱交換器を用いるので、跳ね上げ自在の前面パネルの内側に設けた閉鎖部材と熱交換器の前部との間が吸込まれた室内空気の流通路となり、ここを流れる気流に空気清浄フィルターを臨ませることが可能となって、空気清浄作用が惹起される。また、跳ね上げ自在の前面パネルを採用して空気調和機の保守作業を容易にしたことと、空気調和機の保守作業で最大の課題であるフィルターの清掃を自動化したことで環境への負荷を低減することができる。また、空気調和機の運転時も前面パネルが前方に開くことも無いので、室内機の内部が使用者の目に曝されることも無く、室内の雰囲気を乱さず、美観を維持し続ける。
【００７３】
このため、運転中も室内の雰囲気を乱すことが無く、吹出し空気の浄化度合が向上し、且つ、メンテナンスが容易になる空気調和機を得ることができる。
【００７４】
また、請求項２記載の空気調和機によれば、前記収納部は前記機能部材を、該機能部材が前記熱交換器の前側部分に流入する気流を部分的に遮るごとく、収納する。
【００７５】
これにより、機能部材で一部を遮られた気流は機能部材の前後で圧力差を生じ、この圧力差のよって、機能部材にも気流の一部が流れる。機能部材に流れた気流は、気流中に含んでいるアレルゲンが除去されたり、芳香を付加されたりして、空気質が向上して室内に吹出される。このように、機能部材に流れる気流の空気質が向上するので、室内の空気質も徐々に向上し、室内環境が快適になってゆく。
【００７６】
このため、吸込み空気中のアレルゲンを効率よく除去する等、室内空気質の向上が図れる空気調和機を得ることができる。
【図面の簡単な説明】
【００７７】
【図１】実施例の空気調和機の構成図。
【図２】同空気調和機の室内機の側断面図。
【図３】同室内機の冷房・除湿運転時の側断面図。
【図４】同室内機の前面パネル跳ね上げ状態を示す側断面図。
【図５】同室内機の前面パネル跳ね上げ状態を示す斜視図。
【図６】同室内機の蓋部材脱着説明図。
【図７】同室内機の空気清浄フィルター交換作業説明図。
【図８】同室内機のフィルター清掃機構部斜視図。
【図９】同清掃機構の捕集塵埃の掃き取り動作詳細図。
【符号の説明】
【００７８】
１  空気調和機
２  室内機
５  リモコン
６  室外機
８  接続配管
１０  制御装置
２０  筐体
２１  筐体ベース
２３  化粧枠
２５  前面パネル
２７  空気吸込み口
２９  空気吹出し口
３３  室内熱交換器
３５  露受皿
３７  ドレン配管
２３１  フィルター
２３３ａ  傾斜Ａ
２３３ｃ  傾斜Ｃ
２３３ｆ  傾斜Ｆ
２３４  案内枠
２３４ａ  凹所Ａ
２３４ｃ  凹所Ｃ
２３４ｆ  凹所Ｆ
２３６  塵埃
２３８  待機部
２６２  刷毛支持枠
２６７  掃除用刷毛
２６８  刷毛押え
２６９  レバー突起
２７０  除塵ブラシ
２７１  除去ブラシ
２７１ａ  除去ブラシ面
２７１ｃ  回動レバー
２７１ｅ  ひれ
２７６  ブラシホルダー
２８１ｂ  除去塵埃排出口
２８４  集塵ボックス
２８４ｃ  ツマミ部
２９０  吹出し風路
２９１  上下風向板
２９５  左右風向板
３１１  送風ファン
３３１  空気清浄フィルター
３３３  閉鎖部材
３３３ａ  着脱開口
３３３ｂ  収納部
３３３ｃ  支持枠
３３５  蓋部材
３９６  受光部
３９７  表示部
【図１】
0005142767.tif 000002
【図２】
0005142767.tif 000003
【図３】
0005142767.tif 000004
【図４】
0005142767.tif 000005
【図５】
0005142767.tif 000006
【図６】
0005142767.tif 000007
【図７】
0005142767.tif 000008
【図８】
0005142767.tif 000009
【図９】
0005142767.tif 000010